(57)【特許請求の範囲】
【請求項１】
流体ディスペンサとアプリケータとの組立体であって、
中空の収容体（１）と、
前記収容体（１）の上端部（１２）に取り付けられ、肌等の目標物に接触する流体塗布面（Ｓ）と、
貯蔵器（４）、ポンプ（５）、及びディスペンサ終端部（６）を備え、貯蔵器（４）内の流体をポンプ（５）によりディスペンサ終端部（６）に設けられた吐出管（６０）を通じて吐出管（６０）の出口である流体ディスペンサ投与口（６２）に送り出す流体ディスペンサ（Ｄ）を備え、
前記ディスペンサ終端部（６）は、流体ディスペンサ投与口（６２）の開口を有する吐出面（６１）を形成し、
前記ディスペンサ（Ｄ）は、前記収容体（１）内に取り外し可能に収容されており、
前記流体ディスペンサ（Ｄ）のディスペンサ終端部（６）は、ハウジング（２２）内に取り外し可能に収容され、
ディスペンサ終端部（６）の吐出面（６１）は、前記塗布面（Ｓ）の一部を形成し、
前記ディスペンサ投与口（６２）は、前記塗布面（Ｓ）に直接開いており、
前記ディスペンサ（Ｄ）は、前記収容体（１）の前記上端部（１２）から離れた位置にある開いた下端部（１７）を介して前記収容体（１）から取り外し可能である
ことを特徴とするディスペンサ・アプリケータ組立体。
【請求項２】
前記ディスペンサ（Ｄ）は、前記貯蔵器（４）、前記ポンプ（５）、及び前記ディスペンサ終端部（６）を通過する長手方向軸Ｘを規定し、
前記ハウジング（２２）は、前記長手方向軸Ｘに沿った筒状であり、
前記ディスペンサ終端部（６）は、前記筒状のハウジング（２２）内に係合する挿入部（６３）を有し、前記挿入部（６３）及び前記筒状のハウジング（２２）は、前記長手方向軸Ｘを中心とした周方向において単一の角度的に定められた方向で相互に係合する対応する断面を示す
請求項１に記載のディスペンサ・アプリケータ組立体。
【請求項３】
前記ディスペンサ（Ｄ）は、前記貯蔵器（４）、前記ポンプ（５）、及び前記ディスペンサ終端部（６）を通過する長手方向軸Ｘを規定し、
前記ポンプ（５）は、前記長手方向軸Ｘに対して横方向に移動可能な側方アクチュエータ（５３）を含む
請求項１に記載のディスペンサ・アプリケータ組立体。
【請求項４】
前記ディスペンサ終端部（６）は、特定の方向を向いており、前記側方アクチュエータ（５３）に対して回転するのを妨げられ、
前記収容体（１）は、前記側方アクチュエータ（５３）に対向配置された側方押下部材（１５）を含み、前記側方押下部材（１５）を側方に押下することで前記側方アクチュエータ（５３）を移動させることを可能とし、
前記ハウジング（２２）は、前記長手方向軸Ｘに沿った筒状であり、
前記ディスペンサ終端部（６）は、前記筒状のハウジング（２２）内に係合する挿入部（６３）を有し、前記挿入部（６３）及び前記筒状のハウジング（２２）は、前記長手方向軸Ｘを中心とした周方向において単一の角度的に定められた方向で相互に係合する対応する断面を示し、
前記収容体（１）内における前記ディスペンサ（Ｄ）の前記特定の方向は、前記ハウジング（２２）と前記ディスペンサ終端部（６）の前記挿入部（６３）との係合によって定まる
請求項３に記載のディスペンサ・アプリケータ組立体。
【請求項５】
前記吐出面（６１）は、少なくとも前記塗布面（Ｓ）において前記ハウジング（２２）の形状に対応する形状を有する輪郭を示し、
前記ディスペンサ終端部（６）は、少なくとも前記塗布面（Ｓ）において前記ハウジング（２２）を封止状態で閉鎖する
請求項１から４までのいずれかに記載のディスペンサ・アプリケータ組立体。
【請求項６】
前記塗布面（Ｓ）の一部は、前記ハウジング（２２）を形成するアプリケータヘッド（２）と、波動を発し、発した波動を前記塗布面（Ｓ）へと伝える波動生成モジュール（３）を備えるアプリケータ部（Ａ）により形成されており、
前記波動生成モジュール（３）は、一部が前記収容体（１）内に収容され、前記塗布面（Ｓ）の一部を形成する
請求項１から５までのいずれかに記載のディスペンサ・アプリケータ組立体。
【請求項７】
前記アプリケータ部（Ａ）は、前記収容体（１）上及び内部に取り外し可能に装着され、
前記波動生成モジュール（３）は、望ましくは前記収容体（１）内に取り外し可能にスナップ留めされている
請求項６に記載のディスペンサ・アプリケータ組立体。
【請求項８】
前記吐出面（６１）は、前記塗布面（Ｓ）と面一に配置されており、前記塗布面（Ｓ）を平滑及び連続した状態で形成する
請求項１から７までのいずれかに記載のディスペンサ・アプリケータ組立体。
【請求項９】
前記収容体（１）と協働して前記下端部（１７）を閉鎖する取外し可能底壁部（７）を含み、
前記取外し可能底壁部（７）は、弾性変形し、前記ディスペンサ（Ｄ）を前記アプリケータヘッド（２）の方へと付勢して前記ディスペンサ終端部（６）を前記ハウジング（２２）内に押し込む
請求項１から８までのいずれかに記載のディスペンサ・アプリケータ組立体。
【請求項１０】
前記貯蔵器（４）が前記取外し可能底壁部（７）に貫入し、前記取外し可能底壁部（７）が取り外された後に前記貯蔵器（４）が前記収容体（１）から突出し、前記貯蔵器（４）を把持することを可能にし、前記ディスペンサ（Ｄ）を前記収容体（１）から取り外すことを可能にする
請求項９に記載のディスペンサ・アプリケータ組立体。
【請求項１１】
取り外し可能に組み立てることのできる３つの独立したユニット、すなわち：
前記収容体（１）によって形成され、望ましくは押下部材（１５）及び取外し可能底壁部（７）を有する収容部（Ｒ）と、
前記塗布面（Ｓ）を形成し、アプリケータヘッド（２）及び波動生成モジュール（３）を備えるアプリケータ部（Ａ）と、
前記流体ディスペンサによって構成されるディスペンサ部（Ｄ）と、を備える
請求項１から１０までのいずれかに記載のディスペンサ・アプリケータ組立体。
【請求項１２】
前記ポンプ（５）が、前記押下部材（１５）と前記波動生成モジュール（３）の間に配されている
請求項１１に記載のディスペンサ・アプリケータ組立体。
【発明の詳細な説明】
【技術分野】
【０００１】
本発明は中空の収容体と、前記収容体の上端部に取り付けられ、肌等の目標物に接触する流体塗布面と、貯蔵器、ポンプ、及びディスペンサ終端部を備える流体ディスペンサを備え、前記ディスペンサ終端部は、流体ディスペンサ投与口の開口を有する吐出面を形成する流体ディスペンサとアプリケータの組立体に関する。当該組立体は、波動を発して塗布面に伝える波動生成モジュールを含むのが望ましい。
【０００２】
これによって、当該組立体は塗布面を通じて、肌等の目標物に流体を塗布し、それと同時に、又はその後に、又はそれに先がけて、肌を波動に晒すことを可能とする。当然のことながら、本発明の望ましい利用分野は化粧品分野であるが、薬学分野においても利用可能である。
【背景技術】
【０００３】
従来技術においては、特許文献１が既に知られている。特許文献１は、こうした種類のディスペンサとアプリケータの組立体を開示している。この組立体は塗布面を形成するアプリケータヘッドを備え、塗布面にはディスペンサ投与口を形成する吐出管の開口がある。更に、アプリケータヘッドは光源（ＬＥＤ）を収容するハウジングを含み、光源は約６６０μｍの波長を有する赤色光を発する。ディスペンサ組立体はポンプが内蔵された収容体を含む。更に、収容体は該赤色光を生成するモジュールを収容するハウジングを形成する。
【０００４】
特許文献１の組立体はその底部に取り外し可能な筺体を含む。取り外し可能な筺体の内部には、流体貯蔵器が収容されている。流体貯蔵器は、収容体に内蔵されたポンプに直接取り外し可能に取り付けられている。当該組立体のうちで取り外し及び取り替えが可能な部分は、筺体に収容された流体貯蔵器のみである。
ポンプは収容体内に直接モールド成形されているため、ポンプを収容体から取り外すことは不可能である。加えて、塗布面は完全に、吐出管及びディスペンサ投与口を形成するヘッド、及び光源を収容する収容ハウジングのみから形成されている。
【０００５】
特許文献２もまた知られている。特許文献２は、ディスペンサ終端部を有する貯蔵器を収容する筺体を備える振動アプリケータを開示している。筺体上に配されたカラー（ｃｏｌｌａｒ）部はディスペンサ終端部を囲む振動エレメントを収容する。蓄熱ヘッドが振動エレメントに接続されており、振動エレメントが蓄熱ヘッドを振動させる。当該ヘッドは筺体に対して移動可能である。
【０００６】
当該ヘッドは塗布面を形成し、塗布面内にディスペンサ終端部の開口がある。襟部は振動エレメントを駆動するための側方押下部材を含む。流体は貯蔵器を絞ることで投与されるが、ポンプを有する変形例が、詳細に触れることなく説明されている。当該ディスペンサは分解を想定しておらず、従って単一の組立体を構成する。
【先行技術文献】
【特許文献】
【０００７】
【特許文献１】国際公開第２０１３−１２１１４５号公報
【特許文献２】米国特許出願公開第２０１１−０１９０６７２号公報
【発明の概要】
【発明が解決しようとする課題】
【０００８】
本発明の目的は、従来技術の流体ディスペンサとアプリケータの組立体を、更なるモジュール化、清潔さ、安価さ、様々な波動生成技術に対する適応の容易さを同時に実現することにより改良することである。
【課題を解決するための手段】
【０００９】
これを達成するために、本発明は流体ディスペンサとアプリケータとの組立体であって、中空の収容体と、前記収容体の上端部に取り付けられ、肌等の目標物に接触する流体塗布面と、貯蔵器、ポンプ、及びディスペンサ終端部を備え、貯蔵器内の流体をポンプによりディスペンサ終端部に設けられた吐出管を通じて吐出管の出口である流体ディスペンサ投与口に送り出す流体ディスペンサを備え、前記ディスペンサ終端部は、流体ディスペンサ投与口の開口を有する吐出面を形成し、前記ディスペンサは、前記収容体内に取り外し可能に収容されており、前記流体ディスペンサのディスペンサ終端部は、ハウジング内に取り外し可能に収容され、ディスペンサ終端部の吐出面は、前記塗布面の一部を形成し、前記ディスペンサ投与口は、前記塗布面に直接開いており、前記ディスペンサは、前記収容体の前記上端部から離れた位置にある開いた下端部を介して前記収容体から取り外し可能であることを特徴とするディスペンサ・アプリケータ組立体を提案する。
【００１０】
これによって、流体は塗布面に到達するまではディスペンサ内部のみを流れる。なお、ディスペンサの吐出面は塗布面の一部を形成する。その結果、流体はディスペンサ及び塗布面のみと接触し、その他の面部分に触れることはない。これは特許文献１のディスペンサ組立体には当てはまらない。特許文献１のディスペンサ組立体においては、ポンプから出た流体が収容体の一区画、及びアプリケータヘッドに形成された吐出管を通るからである。
【００１１】
本発明のこのような設計によって、流体ディスペンサとアプリケータの組立体が特許文献１のディスペンサ組立体よりはるかに清潔で、はるかに清掃が容易となる。
本発明においては、貯蔵器、ポンプ、及びディスペンサ終端部を備えるディスペンサ全体が収容体内及びハウジング内に取り外し可能に収容される。これによって、流体の痕跡がディスペンサ組立体内に残留することなく、ディスペンサを収容体から取り外し別のディスペンサと容易に取り替え可能である。これが可能となるのは、具体的には、上述したように流体が塗布面に到達するまでディスペンサ内のみを流れるためである。
【００１２】
その結果、本発明の流体ディスペンサとアプリケータの組立体が１つあれば、流体ディスペンサを取り替えるだけで様々な種類の流体の投与が可能となる。また、流体が残留したり混ざりあったりするリスクなく様々な種類の流体の投与が可能となる。別の流体ディスペンサを挿入するために今入っている流体ディスペンサを取り外す際に、ユーザが塗布面を適切に清掃しさえすればよい。
【００１３】
本発明の別の望ましい態様においては、前記ディスペンサは、前記貯蔵器、前記ポンプ、及び前記ディスペンサ終端部を通過する長手方向軸Ｘを規定し、前記ハウジングは、前記長手方向軸Ｘに沿った筒状であり、前記ディスペンサ終端部は、前記筒状のハウジング内に係合する挿入部を有し、前記挿入部及び前記筒状のハウジングは、前記長手方向軸Ｘを中心とした周方向において単一の角度的に定められた方向で相互に係合する対応する断面を示す。望ましい構成としては、前記ディスペンサは、前記貯蔵器、前記ポンプ、及び前記ディスペンサ終端部を通過する長手方向軸Ｘを規定し、前記ポンプは、前記長手方向軸Ｘに対して横方向に移動可能な側方アクチュエータを含む。これによって、組立体をペンのように握ったり扱ったりして、人差し指で側方アクチュエータを押下することができる。
【００１４】
好ましくは、前記ディスペンサ終端部は、特定の方向を向いており、前記側方アクチュエータに対して回転するのを妨げられ、前記収容体は、前記側方アクチュエータに対向配置された側方押下部材を含み、前記側方押下部材を側方に押下することで前記側方アクチュエータを移動させることを可能とし、前記ハウジングは、前記長手方向軸Ｘに沿った筒状であり、前記ディスペンサ終端部は、前記筒状のハウジング内に係合する挿入部を有し、前記挿入部及び前記筒状のハウジングは、前記長手方向軸Ｘを中心とした周方向において単一の角度的に定められた方向で相互に係合する対応する断面を示し、前記収容体内における前記ディスペンサの前記特定の方向は、前記ハウジングと前記ディスペンサ終端部の前記挿入部との係合によって定まる。
【００１５】
本発明の別の非常に望ましい態様においては、前記塗布面の一部は、前記ハウジングを形成するアプリケータヘッドと、波動を発し、発した波動を前記塗布面へと伝える波動生成モジュールを備えるアプリケータ部により形成されており、前記波動生成モジュールは、一部が前記収容体内に収容され、前記塗布面の一部を形成する。
波動生成モジュールから発せられる波動は、例えば可視光、赤外線又は紫外線や、あらゆる種類の電磁波全般や、また超音波等の振動波や、又は機械振動（マッサージ）等どのようなものであってもよい。波動生成モジュールはアプリケータヘッドに対して、例えばスナップ留め、接着結合、圧入、オーバーモールド等の適切な技法を用いて結合することができる。
【００１６】
望ましい構成としては、前記アプリケータ部は、前記収容体上及び内部に取り外し可能に装着され、前記波動生成モジュールは、望ましくは前記収容体内に取り外し可能にスナップ留めされている。このような設計によって、アプリケータヘッドによって形成されるハウジング内にディスペンサ終端部が取り外し可能に係合するのを除けば、アプリケータ部が流体ディスペンサから完全に独立していることは容易に理解されるだろう。
【００１７】
これによって、アプリケータ部を流体ディスペンサに応じて取り替えることができる。
従って、それぞれ対応する波動生成モジュールを含む様々な種類のアプリケータ部に関連づけられた様々な異なる種類の流体ディスペンサの提供を考慮に入れることができる。
本発明のきわめて実用的な特徴によれば、前記吐出面は、前記塗布面と面一に配置されており、前記塗布面を平滑及び連続した状態で形成する。望ましい構成としては、前記吐出面は、少なくとも前記塗布面において前記ハウジングの形状に対応する形状を有する輪郭を示し、前記ディスペンサ終端部は、少なくとも前記塗布面において前記ハウジングを封止状態で閉鎖する。これによって、吐出面が塗布面と完全に一体となり、流体がハウジング内に侵入することがないことが保証される。
【００１８】
その結果、塗布面を、例えば擦ったり拭ったりして簡易的に清掃するだけで、収容体内、ハウジング内、また塗布面上に流体の痕跡が残留することなしに流体ディスペンサを組立体から取り外すことができる。
本発明の別の望ましい態様においては、前記収容体と協働して前記下端部を閉鎖する取外し可能底壁部を含み、前記取外し可能底壁部は、弾性変形し、前記ディスペンサを前記アプリケータヘッドの方へと付勢して前記ディスペンサ終端部を前記ハウジング内に押し込む。
【００１９】
好ましくは、前記貯蔵器が前記取外し可能底壁部に貫入し、前記取外し可能底壁部が取り外された後に前記貯蔵器が前記収容体から突出し、前記貯蔵器を把持することを可能にし、前記ディスペンサを前記収容体から取り外すことを可能にする。ディスペンサ終端部がハウジング内に封止されることが保証されるのみならず、ディスペンサの容易な取り外しを可能としつつ、ディスペンサが収容体内に安定して保持されることも保証される。
【００２０】
なお、本発明の別の望ましい側面において、取り外し可能に組み立てることのできる３つの独立したユニット、すなわち：前記収容体によって形成され、望ましくは押下部材及び取外し可能底壁部を有する収容部と、前記塗布面を形成し、アプリケータヘッド及び波動生成モジュールを備えるアプリケータ部と、前記流体ディスペンサによって構成されるディスペンサ部と、を備える。更なるモジュール化、清掃の容易さ、組立のしやすさを同時に実現し、その結果組立体の製造を低いコストで行うことを可能とする３つの独立したユニットを組み合わせることで、上記の組立体が得られることがすぐにわかる。
【００２１】
望ましい構成としては、前記ポンプが、前記押下部材と前記波動生成モジュールの間に配されている。このような小型設計により、組立体は、ポンプ、押下部材、モジュールの全てが配置される丸みを帯びた部分を有するペン型とすることができる。
本発明の精神は、流体が塗布面のみからディスペンサ外に出ることに存する。これは、ディスペンサが取り外し可能に取り付けられている場合、及び波動生成モジュールの内蔵されたアプリケータ部が塗布面の少なくとも一部分を形成している場合に更に望ましい。組立体が３つの独立したユニットに分割されているのも望ましい特徴である。このことによってディスペンサを波動生成モジュールから分離することが可能となり、その結果波動生成モジュールを様々な異なる供給業者が設計及び製造することが可能となるからである。
【図面の簡単な説明】
【００２２】
以下において、本発明の実施の形態を非限定的な例として示す添付図面を参照し、本発明をより詳細に説明する。
【図１】本発明の流体ディスペンサとアプリケータの組立体の略実物大の垂直断面図である。
【図２】図１の上部の拡大図である。
【図３】図２の線Ａ―Ａにおける水平断面図である。
【図４】図１〜図３の流体ディスペンサとアプリケータの組立体の分解斜視図である。
【図５】図１に類似した図であり、流体ディスペンサが存在しない状態を示す。
【図６】本発明の流体ディスペンサの垂直断面図である。
【図７】図６のディスペンサの平面図である。
【図８】図６及び図７のディスペンサの分解斜視図である。
【発明を実施するための形態】
【００２３】
本発明を示す上記の様々な図面からわかるように、本発明の流体ディスペンサとアプリケータの組立体は、例えばペン状等の、長尺状又は細長い形状を示す。また、その断面が同一でなく、下部から上部にかけてはっきりと変化する。具体的には、下端の近傍では、流体ディスペンサとアプリケータの組立体はおおむね円状又は円形状の断面を示す。一方、おおむね上端の近傍である線Ａ−Ａにおける断面では、流体ディスペンサとアプリケータの組立体は卵形状の断面を示す（図３）。組立体の上面は、一方の側面に向かって傾いている、又は傾斜を有する塗布面Ｓを形成する。
【００２４】
図４を参照すると、本発明の流体ディスペンサとアプリケータの組立体の様々な構成要素が見える。まず、組立体が３つの主要な個別のユニットを備える。具体的には、ディスペンサ部Ｄ、収容部Ｒ、そしてアプリケータ部Ａである。ディスペンサ部Ｄは流体ディスペンサであり、望ましくは、内部が空洞の単一体である収容体１を備える収容部Ｒ内に取り外し可能に収容されている。アプリケータ部Ａは収容体１上及び内部に、望ましくは取り外し可能に取り付けられている。つまり、ディスペンサ部Ｄは収容体１内部、アプリケータ部Ａは収容体１上に、それぞれ２つの対向する端部１７及び１２から、取り外し可能に収容されるのが望ましい。これが本発明の流体ディスペンサとアプリケータの組立体の概略構成である。
【００２５】
更に詳細には、収容部Ｒの収容体１には、アプリケータ部Ａとディスペンサ部Ｄをそれぞれ収容できるように上端部１２と下端部１７が開いている。下端部１７の内部には、取外し可能底壁部７をねじ止めできるようにねじ山が設けられているのが望ましい。取外し可能底壁部７は小さな鍋（ｐｏｔ）状であり、底壁７３及び円筒状の側壁７１を有する。また、側壁７１の上部は、収容体１の下端部１７のピッチに対応するピッチを有するねじ山７２を形成している。なお、取外し可能底壁部７は、底壁７３上に、例えば発泡材又はエラストマー等の弾性材料７４を有している。
【００２６】
取外し可能底壁部７の内部には、収容体１の内部と上方向に連通する空間７０が形成されており、収容体１の内部は収容空間１ａを規定する。収容体１の内部の、収容空間１ａの向こう側にあたる部分は分離隔壁１３によって２つの区画１ｂ及び１ｂに区切られている。区画１ｂは、収容空間１ａから連続して軸方向に延びる。一方、区画１ｃは、収容体１が卵形状となる箇所で側方に延びる。後述するように、隔壁１３の下端はスナップ留め先端１４を形成する。
【００２７】
収容体１は、区画１ｂと同じ高さに、収容体１の長手方向の軸に対して横方向に動くことのできる側方押下部材１５を有する。側方押下部材１５は純然たる並進移動によって動作してもよいし、弾性変形してもよい。一例として、エラストマー材料を用いて側方押下部材１５を収容体１上に成形することが考えられる。変形例としては、収容体１から完全に独立して移動する側方押下部材１５も考えられる。側方押下部材１５を有さず開口部のみを有する構成も考えられる。なお、分離隔壁１３は上端部１２の近傍まで延びる。収容体１は単にプラスチック材料を射出成形して形成してもよいし、金属を用いて形成してもよい。
【００２８】
この実施の形態では、アプリケータ部Ａはアプリケータヘッド２と波動生成モジュール３を組み合わせて形成される。図１及び図２からわかるように、アプリケータヘッド２は軸方向ハウジング２２を含む。軸方向ハウジング２２は、三日月形等の複雑な幾何学形状を示す断面を有する筒状部によって形成される。ハウジング２２の上部は塗布面領域２１に接続している。塗布面領域２１はこの実施の形態においては、２つの開口部、具体的にはハウジング２２の口に対応する第１開口部と、波動生成モジュール３に対する第２開口部を有する。
【００２９】
より正確には、波動生成モジュール３は、対応する第２開口部を閉鎖してヘッド２の塗布面領域２１を連続しかつ平滑にする塗布面部分３１を有する。換言すれば、波動生成モジュール３の塗布面部分３１がアプリケータヘッドの第２開口部に嵌合することで、突出や凹部等の不連続のないヘッド２の塗布面領域２１が形成される。
即ち、波動生成モジュール３とヘッド２を組み合わせることで、この段階においてはハウジング２２の口によって形成される単一の開口部を有する塗布面Ｓを形成することが可能となる。なお、図１及び図２において、塗布面部分３１は塗布面Ｓの最も傾斜している部分を占めている。アプリケータヘッド２はまた、収容体１の上端部１２におさまる周縁スカート部２３を含む。
【００３０】
加えて、波動生成モジュール３は収容空間１ｂ内に延び、望ましくは、分離隔壁１３の下先端１４と協働するスナップ留め輪郭部３４を有する。このようにすることで、アプリケータ部Ａを完全に安定した状態で収容体１上及び内部に取り付けることができる。
本発明においては、波動生成モジュール３は電磁波、振動波等のどのような種類の波を生成してもよいし、可視光、赤外線、紫外線、又はマイクロ波等を生成してもよいし、更には超音波、又は機械振動等を生成してもよい。波動生成モジュール３は熱又は冷気（熱波動）を発して、肌と接触したときに温感又は冷感を与えるようにしてもよい。
【００３１】
図６〜図８により明瞭に示されるように、ディスペンサ部即ち流体ディスペンサＤは流体貯蔵器４、ポンプ５、及びディスペンサ終端部６を備える。
一例として、貯蔵器４はスライド式のシリンダ４１として形成されている。シリンダ４１は、流体が貯蔵器から吸い出されるにつれてシリンダ４１内をスライドするフォロアピストン４２を収容する。シリンダ４１の上部はネック（ｎｅｃｋ）部４５を形成する。なお、この特定の貯蔵器に代えて、作動体積（ｗｏｒｋｉｎｇ  ｖｏｌｕｍｅ）の変化しないより単純な貯蔵器、又は可撓性の小袋を備えた貯蔵器も考えられる。
【００３２】
ポンプ５は、貯蔵器４のネック部４５へのポンプ５の取り付けを可能にする固定リング５４を備える。ポンプ５は、下端に入口弁５１を有するポンプ室５０を含む。入口弁５１は、例えば切り込みを有する開閉式である。ポンプ室５０の上端には、同様に例えば切り込みを有する開閉式である出口弁５２がある。更に、ポンプ室５０は側方アクチュエータ５３を含む。
【００３３】
側方アクチュエータ５３はポンプ室５０の作動体積を減少させ、流体を出口弁５２から押し出すことを可能にする。側方アクチュエータ５３は流体ディスペンサＤの長手方向軸Ｘに対して垂直に移動可能である。この動作は並進移動でも弾性変形によるものでもよい。本発明を示すために用いられているこの実施の形態においては、アクチュエータ５３は例えば、二重射出成形（ｂｉ−ｉｎｊｅｃｔｉｏｎ）又はオーバーモールドによって形成されるポンプ室５０の可撓性壁である。
【００３４】
従って、ポンプ５はポンプ室５０の可動壁が直に駆動されて流体に加圧を行うという意味において、可撓性ダイアフラムポンプであると言うことができる。ポンプ５の上端は、ディスペンサ終端部６を取り付けるための取付縦穴５６を形成する。取付縦穴５６は、望ましくは例えば突出歯部又は凹部状のキー（ｋｅｙｉｎｇ）手段５５を有し、取付縦穴５６内におけるディスペンサ終端部６の方向を角度的に定めることを可能にする。
【００３５】
従ってディスペンサ終端部６は、取付縦穴５６内に係合、さらに望ましくはスナップ留めされる取付基端部（ｓｔｕｂ）６５を含む。取付基端部６５は取付縦穴５６のキー手段５５と完全に噛み合うキー状の外形を有し、ポンプ５上のディスペンサ終端部６の方向を角度的に定める。このようにすることでディスペンサ終端部６は、ポンプ５の片側のみに延びる側方アクチュエータ５３に対して常に同じ向きとなる。
【００３６】
取付基端部６５の上方において、ディスペンサ終端部６は挿入部３を形成する。挿入部６３は、アプリケータヘッド２のハウジング２２の形状に対応する形状を示す断面を有する。この形状は図７により明瞭に示されており、三日月形に似ている。挿入部６３の側壁は、高さ方向の全体において、非円形の筒状であってもよい。変形例においては、１つ以上の突出封止ビードを設け、ハウジング２２内において封止状態を形成することができる。図２及び図６に明瞭に示されているように、挿入部６３の上端は、略平面状の吐出面６１を形成する。吐出面６１にはディスペンサ投与口６２が貫通しており、そのディスペンサ投与口６２が、挿入部６３及び取付基端部６５を通る吐出管６０の吐出口となる。
【００３７】
図６に示されるように、ひとたびディスペンサ終端部６がポンプ５に取り付けられると、出口弁５２は吐出管６０と直に連通する。よって、側方アクチュエータ５３を押下することにより、ポンプ室５０の作動体積が減少し、圧力を加えられた流体は出口弁５２から押し出される。出口弁５２から押し出された流体は、吐出面６１に位置するディスペンサ投与口６２に到達するまで、吐出管６０を通って流れる。
【００３８】
側方アクチュエータ５３にかかる圧力が緩和されると、ポンプ室５０内に生じた吸引力の影響で出口弁５２が閉鎖し、入口弁５１が開く。これによって流体が貯蔵器４から吸い上げられ、貯蔵器内４のフォロアピストン４２がポンプ５の方へと移動することが可能となる。
図４からわかるように、流体ディスペンサＤのディスペンサ部は取外し可能底壁部７を取り外した後に下端部１７より収容体１内に挿入される。流体ディスペンサＤはまず収容空間１ａに軸方向に挿入され、次いでディスペンサ終端部６がアプリケータヘッド２のハウジング２２内に貫入するまで収容空間１ｂを通過して挿入される。
【００３９】
上述したように、流体ディスペンサＤの挿入部６３がハウジング２２内に係合するように流体ディスペンサＤの角度を調整する必要がある。角度の向きは一意に決まることが望ましい。これによって、挿入部６３がハウジング２２内に完全に係合され、吐出面６１が塗布面Ｓと同じ高さになるように、塗布面Ｓを形成することができる。
この状態は図２に示されている。吐出面６１がヘッド２の塗布面領域２１と完全に面一となるように、塗布面領域２１が形成されているのがわかる。最終的には、塗布面Ｓで連続していない部分はディスペンサ投与口６２のみとなる。このように挿入部６３がハウジング２２内に完全に係合するように、弾性材料７４を有する取外し可能底壁部７が用いられる。当該弾性材料は貯蔵器４の下壁に接触して貯蔵器４の下壁を押し上げ、ハウジング２２における封止を確立する。
【００４０】
なお、これに関連して、取外し可能底壁部７が取り外されると貯蔵器４の下端は収容体１から突出する。これによって、ディスペンサを収容体１から取り外す際に、ディスペンサの貯蔵器４を掴むことが容易となる。その結果、流体ディスペンサＤは収容体１内及びヘッド２内に取り外し可能に収容される。
なお、ハウジング２２内における挿入部６３の方向が角度的に定まることにより、側方アクチュエータ５３を収容体１の側方押下部材１５に面するように配置することが可能となる。
【００４１】
図３は本発明の流体ディスペンサとアプリケータの組立体が卵形状を示す箇所において、組立体の様々な構成要素がどのように配置されているかを示す。一例として、波動生成モジュール３は区画１ｃ内に収容されている。区画１ｃは分離隔壁１３によって規定されており、分離隔壁１３はポンプ５を部分的に囲んでいる。ポンプ５の側方アクチュエータ５３は、側方押下部材１５に覆われている。従って、ポンプ５は収容体１内において、波動生成モジュール３と側方押下部材１５の間に配されていると言うことができる。
【００４２】
このような設計によって、アプリケータ部Ａは収容部Ｒ上及び内部に取り外し可能に収容される。加えて、流体ディスペンサＤのディスペンサ部は、収容部Ｒ内及びアプリケータ部Ａのハウジング２２内に取り外し可能に収容されている。
こうすることによって、流体ディスペンサＤ及びアプリケータ部Ａを必要に応じて自由に取り替えることができる。一例として、特定の流体を投与する特定のディスペンサを特定のアプリケータ部と組み合わせることが考えられる。従って、本発明の流体ディスペンサとアプリケータの組立体を構成するには、アプリケータ部Ａとディスペンサ部Ｄの２つを収容部Ｒ内に取り付けるだけでよい。アプリケータ部Ａとディスペンサ部Ｄを取り替える必要のあるときは、それぞれを収容部Ｒから容易に取り外すことができる。
【００４３】
なお、流体ディスペンサＤによって投与される流体は塗布面Ｓからのみディスペンサ外に出るため、ひとたびディスペンサが取り外されれば、収容部Ｒ内に流体は残留しない。更に、塗布面Ｓが完全に平滑で連続しているため、擦ったり拭ったりすることで簡単に清掃できる。従って、ユーザがディスペンサを交換したいときには、ユーザが塗布面Ｓを前もって清掃し、それからディスペンサを取り外して別のディスペンサと取り替えるだけで十分である。汚れや流体の付着は認められない。
【００４４】
本発明を示すために用いられた上述の実施の形態においては、波動生成モジュール３は塗布面部分３１を形成する。これは特定の非限定的な実施の形態にすぎない。塗布面Ｓの一部を形成しない形で波動生成モジュール３を作ることも十分考えられるからである。一例として、波動生成モジュール３は塗布面Ｓの直下においてアプリケータヘッド２と組み合わされてもよい。この場合、塗布面Ｓは波動を拡散する拡散手段の役割を果たす。
【００４５】
流体ディスペンサＤとアプリケータ部Ａが、ハウジング２２内に組み込まれない限りは完全に独立するようにしたことで、これらの２つの部分を完全に分離することが可能となる。このため、まったく異なる供給業者、具体的にはディスペンサの設計を専門とする供給業者と波動生成モジュールの設計を専門とする供給業者がこの２つの部分をそれぞれ製造することが可能となる。
【００４６】
本発明によって、３つの独立したユニットを備え、清潔さと清掃の容易さが簡単に保証される流体ディスペンサとアプリケータの組立体が得られる。
【図１】
0006633546.tif 000002
【図２】
0006633546.tif 000003
【図３】
0006633546.tif 000004
【図４】
0006633546.tif 000005
【図５】
0006633546.tif 000006
【図６】
0006633546.tif 000007
【図７】
0006633546.tif 000008
【図８】
0006633546.tif 000009